【手続補正書】
【提出日】平成18年11月30日(2006.11.30)
【手続補正１】
【補正対象書類名】特許請求の範囲
【補正対象項目名】全文
【補正方法】変更
【補正の内容】
【特許請求の範囲】
【請求項１】
塗料が流れる流路と、
前記流路の内壁に形成された弁座と、
前記流路内を移動可能な、先端部にストッパーが形成された軸と、
前記軸に、塗料が通過可能に所定の大きさの隙間をおいて移動可能に取り付けられたリング状の弁体とを備え、
前記流路を閉鎖する際には、前記軸を一方向に移動させ、前記弁体を前記ストッパーにより前記弁座に押圧し、
前記流路を開放する際には、前記軸を反対方向に移動させ、前記弁体の前記ストッパーによる押圧力を解放する、塗料間欠供給用バルブ。
【請求項２】
前記弁座に対して、前記弁体が重力を基準にして下方に配置されている、請求項１記載の塗料間欠供給用バルブ。
【請求項３】
前記流路が開放された際に、前記弁体を前記軸に対して芯出しするための自動調心手段を備えた、請求項１記載の塗料間欠供給用バルブ。
【請求項４】
前記自動調心手段は、
前記ストッパーの前記弁体と対向する面に形成された、先端方向に向かって傾斜しているテーバー部と、
前記弁体の前記ストッパーと対向する面に形成された、前記テーパー部に対応するテーパー部とで形成されている、請求項３記載の塗料間欠供給用バルブ。
【請求項５】
前記流路が閉塞された際に前記弁体の少なくとも前記弁座と接する部分は、樹脂で形成されている、請求項１記載の塗料間欠供給用バルブ。
【請求項６】
塗料が流れる第１の流路と、
前記第１の流路に移動可能に挿入されている軸と、
前記軸の先端に取り付けられた第１の弁構造と、
前記軸の途中に取り付けられた第２の弁構造と、
前記第１の弁構造と前記第２の弁構造の間に設けられた、前記第１の流路に交差する前記塗料を供給するための第２の流路とを備え、
前記軸の先端と前記第１の弁構造は、請求項１記載の塗料間欠供給用バルブである、塗料間欠供給用三方バルブ。
【請求項７】
塗料を貯める塗料貯留槽と、
前記塗料貯留槽の前記塗料を送液する送液ポンプと、
前記塗料を吐出するダイと、
前記送液ポンプと前記ダイの間に設けられた、請求項１〜５の何れかに記載の塗料間欠供給用バルブと、
前記塗料貯留槽、前記送液ポンプ、前記塗料間欠供給用バルブ、及び前記ダイを結ぶ配管とを備えた、間欠塗布装置。
【請求項８】
塗料を貯める塗料貯留槽と、
前記塗料貯留槽の前記塗料を送液する送液ポンプと、
前記塗料を吐出するダイと、
前記送液ポンプと前記ダイの間に設けられた、請求項６に記載の塗料間欠供給用三方バルブと、
前記塗料貯留槽、前記送液ポンプ、前記塗料間欠供給用バルブ、及び前記ダイを結ぶ配管と
前記塗料間欠供給用三方バルブに送液された前記塗料を、前記塗料貯留槽に戻すリターン配管とを備えた、間欠塗布装置。
【請求項９】
前記配管は、
前記塗料貯留槽、前記送液ポンプ、及び前記塗料間欠供給用三方バルブを結ぶ第１の配管と、
前記間欠供給用三方バルブと、前記ダイを結ぶ第２の配管とを有し、
前記第１の配管上に設けられた前記塗料を吸引するためのピストンと、
塗料供給停止の際に、前記塗料を吸引するために前記ピストンを引き込み、前記第２の配管と前記リターン配管が連通するように前記塗料間欠供給用三方バルブを切り替え、前記リターン配管へと前記塗料を送るために前記ピストンを押し込む制御手段とを更に備えた、請求項８記載の間欠塗布装置。
【請求項１０】
塗料を貯める塗料貯留槽と、
前記塗料貯留槽の前記塗料を送液する送液ポンプと、
前記塗料を吐出するダイと、
前記送液ポンプと前記ダイの間に設けられた、請求項６に記載の塗料間欠供給用三方バルブと、
前記塗料貯留槽、前記送液ポンプ、前記塗料間欠供給用バルブ、及び前記ダイを結ぶ配管であって、前記塗料貯留槽、前記送液ポンプ、及び前記塗料間欠供給用三方バルブを結ぶ第１の配管と、前記塗料間欠供給用三方バルブ及び、前記ダイを結ぶ第２の配管とを有する配管と、
前記塗料間欠供給用三方バルブに送液された前記塗料を、前記塗料貯留槽に戻すリターン配管と、
前記第２の配管上に設けられたバルブと、
前記バルブと前記塗料間欠供給用三方バルブの間の前記第２の配管上に設けられた、前記塗料を吸引するためのピストンとを備えた、間欠塗布装置を用いて間欠塗布する間欠塗布方法であって、
塗料供給停止の際に、前記塗料を吸引するために前記ピストンを引き込み、前記バルブを閉じ、前記塗料を前記塗料間欠供給用三方バルブへと送るために前記ピストンを押し込み、前記第２の配管と前記リターン配管が連通するように前記塗料間欠供給用三方バルブを切り替える制御ステップを備えた、間欠塗布方法。
【手続補正２】
【補正対象書類名】明細書
【補正対象項目名】発明の名称
【補正方法】変更
【補正の内容】
【発明の名称】塗料間欠供給用バルブ、塗料間欠供給用三方バルブ、間欠塗布装置、及び間欠塗布方法
【手続補正３】
【補正対象書類名】明細書
【補正対象項目名】０００１
【補正方法】変更
【補正の内容】
【０００１】
本発明は、連続的に走行する基材に、所定の幅と長さ及び厚みを持つ被塗布部と未塗布部との間隔を持たせて、塗料を間欠的に塗布するための塗料間欠供給用バルブ、塗料間欠供給用三方バルブ、間欠塗布装置、及び間欠塗布方法に関するものである。
【手続補正４】
【補正対象書類名】明細書
【補正対象項目名】０００７
【補正方法】変更
【補正の内容】
【０００７】
上記従来の間欠供給バルブを用いると、液体の供給を停止させる際には、出側貯留室１５２内に設けた大径の弁体１４９を液体供給口１５４方向とは逆方向に移動させて、大径弁体１４９の反弁座面の面積を利用して、スリットダイ１０４側の配管経路及びスリットダイ１０４内部までを負圧にして液体を所定量引き戻す。その状態を図２３（ａ）に示す。
【手続補正５】
【補正対象書類名】明細書
【補正対象項目名】００１２
【補正方法】変更
【補正の内容】
【００１２】
また、特許文献２においては、未塗布幅が狭く塗布幅が広い場合では、前述構成によると弁体１４９が大径であることから、基材速度の上昇あるいは間欠供給用バルブ１０３の動作高速化が困難になり、結果的に基材速度を低速且つ塗膜幅方向をできるだけ広くして生産量を増大することが必要になる。
【手続補正６】
【補正対象書類名】明細書
【補正対象項目名】００１４
【補正方法】変更
【補正の内容】
【００１４】
上記従来の課題を考慮して、本発明の目的は、塗布終端及び塗布開始時の始端の乱れ、若しくは塗膜部の欠点のより発生しない、又は、より動作高速化の可能な間欠塗布装置、それに用いる塗料間欠供給用バルブ、及び塗料間欠供給用三方バルブ、及び間欠塗布方法を提供することである。
【手続補正７】
【補正対象書類名】明細書
【補正対象項目名】００２４
【補正方法】変更
【補正の内容】
【００２４】
又、第１０の本発明は、
塗料を貯める塗料貯留槽と、
前記塗料貯留槽の前記塗料を送液する送液ポンプと、
前記塗料を吐出するダイと、
前記送液ポンプと前記ダイの間に設けられた、請求項６に記載の塗料間欠供給用三方バルブと、
前記塗料貯留槽、前記送液ポンプ、前記塗料間欠供給用バルブ、及び前記ダイを結ぶ配管であって、前記塗料貯留槽、前記送液ポンプ、及び前記塗料間欠供給用三方バルブを結ぶ第１の配管と、前記塗料間欠供給用三方バルブ及び、前記ダイを結ぶ第２の配管とを有する配管と、
前記塗料間欠供給用三方バルブに送液された前記塗料を、前記塗料貯留槽に戻すリターン配管と、
前記第２の配管上に設けられたバルブと、
前記バルブと前記塗料間欠供給用三方バルブの間の前記第２の配管上に設けられた、前記塗料を吸引するためのピストンとを備えた、間欠塗布装置を用いて間欠塗布する間欠塗布方法であって、
塗料供給停止の際に、前記塗料を吸引するために前記ピストンを引き込み、前記バルブを閉じ、前記塗料を前記塗料間欠供給用三方バルブへと送るために前記ピストンを押し込み、前記第２の配管と前記リターン配管が連通するように前記塗料間欠供給用三方バルブを切り替える制御ステップを備えた、間欠塗布方法である。
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】変更
【補正の内容】
【００２８】
本発明によれば、塗布終端及び塗布開始時の始端の乱れ、若しくは塗膜部の欠点のより発生しない、又は、より動作高速化の可能な間欠塗布装置、それに用いる塗料間欠供給用バルブ、及び塗料間欠供給用三方バルブ、及び間欠塗布方法を提供することが出来る。
【手続補正１２】
【補正対象書類名】明細書
【補正対象項目名】００９６
【補正方法】変更
【補正の内容】
【００９６】
（実施の形態２）
図１６は、本実施の形態２の間欠塗布装置の構成図である。本実施の形態２の間欠塗布装置は、実施の形態１と基本的構成は同じであるが、サックバック部位がスリットダイ１３ではなく、塗料間欠供給用三方バルブ１２の近傍に設置されている点が異なる。そのため、本相違点を中心に以下に説明する。尚、実施の形態１と同一の構成要素については、同一の符号を付している。
【手続補正１３】
【補正対象書類名】明細書
【補正対象項目名】０１０２
【補正方法】変更
【補正の内容】
【０１０２】
塗料供給停止の際には、送液ポンプ２７からの塗料供給を停止する。同時に図１８に示す様にピストン５２が矢印Ａの方向（バルブ供給配管２５と反対方向）に引き上げられ、塗料１０をサックバック部位５０に吸引する。この動作により、スリット口１９内に存在する塗料１０が引き戻される。
【手続補正１４】
【補正対象書類名】明細書
【補正対象項目名】０１０３
【補正方法】変更
【補正の内容】
【０１０３】
次に、軸６を上方向に引き上げることによって、塗料供給室２と塗料排出室４が連通される。前記動作が成された後に送液ポンプ２７からの塗料供給を再開する。これにより、塗料１０はリターン配管３０を経由して塗料タンク２８へと戻り、バルブ供給配管２５とリターン配管３０内を循環する。そして、ピストン５２を押し込む（矢印Ｂの方向）ことにより、サックバック部位５０内の塗料１０も塗料間欠供給用三方バルブ１２を経由してリターン配管３０へと流れる。この状態を示したのが図１９である。
【手続補正１５】
【補正対象書類名】明細書
【補正対象項目名】０１０６
【補正方法】変更
【補正の内容】
【０１０６】
塗料の供給を停止する場合には、ピストン５２による塗料１０の吸引を行い、バルブ５３を閉じる。そして、ピストン５２を押し込み、塗料１０をサックバック部位５０から排出し、軸６を引き上げることによって、塗料供給室２と塗料排出室４を連通させる。これにより、塗料１０はリターン配管３０を経由して塗料タンク２８へと戻り、バルブ供給配管２５とリターン配管３０内を循環する。尚、前記動作において、送液ポンプ２７の塗料供給を停止させることなく連続動作であってもよい。
【手続補正１６】
【補正対象書類名】明細書
【補正対象項目名】０１０７
【補正方法】変更
【補正の内容】
【０１０７】
この構成によっても、塗布開始時にはピストン５２は押し込まれているため、純粋に塗料間欠供給用三方バルブ１２の供給側弁体開放による塗料分で塗布でき、上記と同様の効果が得られる。
【手続補正１７】
【補正対象書類名】明細書
【補正対象項目名】０１１６
【補正方法】変更
【補正の内容】
【０１１６】
本発明の間欠塗布装置、それに用いる塗料間欠供給用バルブ、塗料間欠供給用三方バルブ、及び間欠塗布方法は、塗布終端及び塗布開始時の始端の乱れ、若しくは塗膜部の欠点のより発生しない、又は、より動作高速化が可能な効果を有し、二次電池の極板製造方法のみならず、電気二重層コンデンサー、あるいはその他フィルム状基材上に間欠塗膜を形成する用途等にも適用できる。
【手続補正１８】
【補正対象書類名】図面
【補正対象項目名】図１１
【補正方法】変更
【補正の内容】
【図１１】
2006051407.tif 000001